(57)【特許請求の範囲】
【請求項１】
内側コイル及び外側コイルからなる加熱コイル、前記加熱コイルを保持するコイル保持台、並びに前記内側コイルと前記外側コイルとの間に配置された温度検知ユニットを有する加熱コイルユニットと、前記加熱コイルの上方に配置され、被加熱物が載置される天板と、を備え、
前記温度検知ユニットは、温度検知素子保持台と、前記温度検知素子保持台の上面に載置された温度検知素子と、からなり、
前記温度検知素子保持台の上面は、略四辺形であり、前記温度検知素子保持台は、前記初期位置において前記加熱コイルから近い側が角張らない略台形形状であり、
前記温度検知素子保持台は、鉛直方向を回転軸として初期位置から所定の方向および所定の角度に回転させて取付位置にすることで前記コイル保持台に取り付けられる誘導加熱調理器の製造方法。
【請求項２】
前記温度検知素子保持台の上面は略平行四辺形である請求項１に記載の誘導加熱調理器の製造方法。
【請求項３】
前記温度検知素子保持台の鋭角部分の角度は取付時の回転角度と略同一である請求項１または２に記載の誘導加熱調理器の製造方法。
【請求項４】
前記温度検知素子保持台の上面の鋭角部分の角度は５０度〜７０度である請求項１〜３いずれか１項に記載の誘導加熱調理器の製造方法。
【請求項５】
前記温度検知素子保持台の下面と前記コイル保持台の上面との間に弾性体を介在させた請求項１〜４いずれか１項に記載の誘導加熱調理器の製造方法。
【請求項６】
前記弾性体はコイルばねである請求項５に記載の誘導加熱調理器の製造方法。
【請求項７】
前記コイル保持台は前記外側コイルの内側または前記内側コイルの外周側またはその両方に円弧状で鉛直方向に立てられた絶縁壁を有し、前記絶縁壁の上面は前記温度検知素子保持台の下面よりも高い位置にある請求項１〜６いずれか１項に記載の誘導加熱調理器の製造方法。
【請求項８】
前記温度検知素子保持台の下面にリード保護部を形成し、前記リード保護部はリードを埋設させるための溝を有する請求項１〜７いずれか１項に記載の誘導加熱調理器の製造方法。
【発明の詳細な説明】
【技術分野】
【０００１】
本発明は、誘導加熱調理器の製造方法に関するものである。
【背景技術】
【０００２】
従来、この種の誘導加熱調理器の製造方法としては、例えば、特許文献１や特許文献２に記載されているようなものがあった。
【０００３】
図９は特許文献１に記載された従来の誘導加熱調理器のコイルユニットの構成を示すものである。内側コイル１０１と外側コイル１０２の間の領域に温度検知ユニット１０３が取り付けられており、天板を介して加熱部近傍の温度を測定することができる。
【０００４】
図１０、１１は特許文献２に記載された従来の誘導加熱器の温度検知ユニットの構成を示すものである。温度検知素子１０４とリード１０５は温度検知素子保持台１０６に形成された溝１０７に埋め込まれており、温度検知素子保持台１０６の下方で両端が束ねられ、制御回路に接続されている。また、温度検知ユニット１０８は温度検知素子保持台１０６に形成されたスライド軸１０９をコイル保持台１１０に設けられた取付穴１１１に挿入し、スライドさせることでコイル保持台１１０に取り付けられている。また、温度検知素子保持台下面とコイル保持台上面にコイルばね１１２を介在させて温度検知素子１０４を天板１１３に確実に当接させる構成となっている。
【０００５】
また、従来から被加熱物の温度検知の精度には温度検知素子だけでなく、周辺のリードからの受熱も寄与しており、リード部分もできるだけ長く天板に当接させることが望ましいことが知られている。
【先行技術文献】
【特許文献】
【０００６】
【特許文献１】特開２００５−３５３４５７号公報
【特許文献２】特開２００２−０９３５６０号公報
【発明の概要】
【発明が解決しようとする課題】
【０００７】
しかしながら前記従来の発明では、天板に当接させるリード部分を長くすればするほど、温度検知素子保持台の面積が大きくなってしまい、外側コイルと内側コイルの間隔を広げなければ、温度検知ユニットをコイルの間に収納できなくなってしまうため、コイル設計の制約が大きくなり、設計の自由度が損なわれる。
【０００８】
また、内側コイルと外側コイルの間隔を広くするにはその分コイルの巻数を減らしたり、コイルの１巻当たりの素線幅を減らしたりしなければならないため、巻数が減ることによるコイル電流量の増加や、断面積の減少によるコイル単体の抵抗の増加によって、コイルの発熱量が大きくなってしまう。また、コイル間の寸法制約から、所望の特性を持つ加熱コイルの設計が困難になってしまう。
【０００９】
また、従来の発明のように温度検知ユニットをスライドさせてコイル保持台に取り付ける方式は、温度検知ユニットが一方に広い場合でも、加熱コイル間に温度検知ユニットを収納できるという利点があるが、組立時に一旦温度検知ユニットを取付穴に押し込んでスライドさせてコイル保持台に取り付ける構成では、温度検知ユニットがスライド時の途中で止まりやすく、また止まったとしても作業者が途中で止まっている状態に気が付きにくく、そのまま天板を組み立てられた場合には、温度検知ユニットが天板に当接せず、天板の温度を精度良く検知できない、という課題を有していた。一方、温度検知素子保持台に形成された回転軸に対して所定の角度に回転させて取り付ける方式にすると、センサが途中で止まったとしても温度検知ユニットの向きで気づきやすく、そのまま組み立てられる可能性は減り、信頼性は高まる。しかし、温度センサの回転軌道内には内コイルと外コイルを配置できず、コイルの大きさ、巻き数の制約になってしまい、所望のコイルが設計し難いという課題があった。
【００１０】
したがって、精度よく温度検知を行い、使用者に使い勝手のよい誘導加熱調理器を提供するためには、天板に当接するリードの長さを確保しつつ、コイル形状を制限しないコンパクトな温度検知ユニットが必要となる。
【００１１】
本発明は、前記従来の課題を解決するもので、内側コイルと外側コイルの間隔が狭い場合においても信頼性の高い回転取付方式を実現する温度検知ユニットを有する誘導加熱調理器の製造方法を提供することを目的とする。
【課題を解決するための手段】
【００１２】
前記従来の課題を解決するために、本発明の誘導加熱調理器の製造方法は、内側コイル及び外側コイルからなる加熱コイル、前記加熱コイルを保持するコイル保持台、並びに前記内側コイルと前記外側コイルとの間に配置された温度検知ユニットを有する加熱コイルユニットと、前記加熱コイルの上方に配置され、被加熱物が載置される天板と、を備え、前記温度検知ユニットは、温度検知素子保持台と、前記温度検知素子保持台の上面に載置された温度検知素子と、からなり、前記温度検知素子保持台の上面は、略四辺形であり、前記温度検知素子保持台は、前記初期位置において前記加熱コイルから近い側が角張らない略台形形状であり、前記温度検知素子保持台は、鉛直方向を回転軸として初期位置から所定の方向および所定の角度に回転させ取付位置にすることで前記コイル保持台に取り付けられるとしたものである。
【発明の効果】
【００１３】
本発明の誘導加熱調理器の製造方法は初期位置において略四辺形である温度検知素子保持台とコイルとの距離が近い側が角張らない略台形形状であり、信頼性の高い回転取付方
式においても、取付時に温度検知素子保持台とコイルとが干渉せず、温度検知素子保持台と加熱コイルとの距離を小さくすることができ、これにより内側コイルと外側コイルの間隔を狭くすることができるため、設計の自由度が高くなり、所望の特性をもつコイル設計が容易となる。
【図面の簡単な説明】
【００１４】
【図１】本発明の実施の形態１における誘導加熱調理器の製造方法の温度検知ユニット近傍の平面概略図
【図２】本発明の実施の形態１における誘導加熱調理器の製造方法の温度検知ユニットの斜視概略図
【図３】本発明の実施の形態１における誘導加熱調理器の製造方法の温度検知ユニットを取り除いた時の取付穴近傍の平面概略図
【図４】本発明の実施の形態１における誘導加熱調理器の製造方法の温度検知ユニットの初期位置における断面図
【図５】本発明の実施の形態１における誘導加熱調理器の製造方法の温度検知ユニットの取付状態における断面図
【図６】本発明の実施の形態１における誘導加熱調理器の製造方法の温度検知ユニット近傍の平面概略図
【図７】本発明の実施の形態１における絶縁壁を有するコイル保持台における温度検知ユニット近傍の平面概略図
【図８】本発明の実施の形態１における誘導加熱調理器の製造方法のリード保護部を有する温度検知ユニット近傍の平面概略図
【図９】特許文献１における従来の誘導加熱調理器の製造方法のコイルユニットの概略図
【図１０】特許文献２における従来の誘導加熱調理器の製造方法の温度検知ユニットの正面図と平面図
【図１１】特許文献２における従来の誘導加熱調理器の製造方法の温度検知ユニットの取付状態を示す断面図
【発明を実施するための形態】
【００１５】
第１の発明は、内側コイル及び外側コイルからなる加熱コイル、前記加熱コイルを保持するコイル保持台、並びに前記内側コイルと前記外側コイルとの間に配置された温度検知ユニットを有する加熱コイルユニットと、前記加熱コイルの上方に配置され、被加熱物が載置される天板と、を備え、前記温度検知ユニットは、温度検知素子保持台と、前記温度検知素子保持台の上面に載置された温度検知素子と、からなり、前記温度検知素子保持台の上面は略四辺形であり、前記温度検知素子保持台は、前記初期位置において前記加熱コイルから近い側が角張らない略台形形状であり、前記温度検知素子保持台は、鉛直方向を回転軸として初期位置から所定の方向および所定の角度に回転させて取付位置にすることで前記コイル保持台に取り付けられることにより、信頼性の高い回転取付方式においても、取付時に温度検知素子保持台とコイルとが干渉せず、温度検知素子保持台と加熱コイルとの距離を小さくすることができ、これにより内側コイルと外側コイルの間隔を狭くすることができるため、所望の特性をもつコイル設計が容易となる。
【００１６】
第２の発明は、特に第１の発明の前記温度検知素子保持台上面を略平行四辺形にすることで、温度検知ユニットを内側コイル、外側コイルの両方に近づけることができるため、第１の発明よりもさらに内側コイルと外側コイルの間隔を小さくすることができ、自由度の高いコイル設計が可能となる。
【００１７】
第３の発明は、特に第１または第２の発明において、前記温度検知素子保持台の鋭角部
分の角度を取付時の回転角度と略同一とすることで、取付時の回転角度に対して温度検知素子保持台がコイルに干渉しない、最適な面積を有することができ、天板に当接するリード長さを最大にすることができる。
【００１８】
第４の発明は、特に第１〜３のいずれか１つの発明において、前記温度検知素子保持台上面の鋭角の角度は５０度〜７０度であることでリードの曲げ部分の角度がきつくならないため、温度検知素子とリードをコイル保持台の溝に埋設させやすく、組立性が良くなるため、安価で信頼性の高い誘導加熱調理器の製造方法を提供することができる。
【００１９】
第５の発明は、特に第１〜４のいずれか１つの発明において、前記温度検知素子保持台の下面と前記コイル保持台の上面との間に弾性体を介在させたることで、コイル保持台上面と天板下面を密着させることができるため、天板の温度を精度良く検知することができる。
【００２０】
第６の発明は、特に第５の発明の前記弾性体をコイルばねとすることで、天板からの熱に対しても変形せず、安価に構成することができる。
【００２１】
第７の発明は特に第１〜６のいずれか１つの発明において、前記コイル保持台は前記外側コイルの内側または前記内側コイルの外周側またはその両方に円弧状で鉛直方向に立てられた絶縁壁を有し、前記絶縁壁の上面は前記温度検知素子保持台の下面よりも高い位置にあることで、温度検知ユニットが傾いた場合においても、リードが加熱コイルに接触し、制御基板が高電圧により破壊されることが無くなるため、信頼性の高い誘導加熱調理器の製造方法を提供することができる。
【００２２】
第８の発明は特に第１〜７のいずれか１つの発明において、前記温度検知素子保持台の下面にリード保護部を形成し、前記リード保護部はリードを埋設させるための溝を有することで、第７の発明と同様、リードが加熱コイルに接触し、制御基板が高電圧により破壊されることを防ぐため、信頼性の高い誘導加熱調理器の製造方法を提供することができる。
【００２３】
以下、本発明の実施の形態について、図面を参照しながら説明する。なお、この実施の形態によって本発明が限定されるものではない。
【００２４】
（実施の形態１）
図１は本発明の第１の実施の形態における誘導加熱調理器の製造方法の温度検知ユニット近傍の平面図を、図２は本発明の第１の実施の形態における誘導加熱調理器の製造方法の温度検知ユニットの斜視外略図を、図３は本発明の第１の実施の形態におけるコイル保持台の取付穴近傍の平面概略図をそれぞれ示すものである。
【００２５】
図１〜３において、温度検知ユニット１は、内側コイル２ａと外側コイル２ｂから構成されている加熱コイル２の間に配置されており、加熱コイル２はコイル保持台３に載置されている。また、温度検知ユニット１はリード５を有する温度検知素子４と温度検知素子保持台６から構成されている。温度検知素子４とリード５は温度検知素子保持台６に設けられた溝７に埋設させることによって温度検知素子４とリード５の上面が温度検知素子保持台上面とほぼ同じ面になるように取り付けられている。また、温度検知ユニット１をコイル保持台３に取り付ける際には、温度検知ユニットを初期位置Ａの状態にし、温度検知素子保持台６下部に形成された、回転軸８をコイル保持台に設けられた取付穴９に挿入させたのち、所定の方向に所定の角度に回転させ、取付位置Ｂにすることでコイル保持台に取り付ける。また、リード５はコネクタ（図示しない）に接続されており、コネクタはコイル保持台３上面からにコネクタ貫通穴１４を通し、制御基板に接続される。
【００２６】
図４は本発明の第１の実施の形態における誘導加熱調理器の製造方法の温度検知ユニットの初期位置Ａにおける断面図を、図５は本発明の第１の実施の形態における誘導加熱調理器の製造方法の温度検知ユニットの取付位置Ｂにおける断面図をそれぞれ示したものである。
【００２７】
図のように、初期位置Ａから温度検知ユニット１をコイル保持台に取り付ける際には、回転軸８をコイル保持台に設けられた取付穴に挿入させる。このとき、取付穴の大きさは回転軸８と、回転軸８の両側に設けられた係止片１０の両方が貫通する大きさにする。初期位置Ａから所定の向きに所定の角度に回転させ取付位置Ｂにすると、断面方向における取付穴の大きさは回転軸のみが通る大きさになっており、温度検知素子保持台６下面とコイル保持台３上面に介在された弾性体１１の反発が生じた際に、係止片１０上面が係止片収納部１６止まることにより、温度検知ユニット１がコイル保持台３から飛び出すことを防止している。また、弾性体１１は反発力によって温度検知ユニット１を天板１２に確実に当接させている。
【００２８】
以上のように構成された誘導加熱調理器の製造方法について、以下その動作・作用について説明する。
【００２９】
温度検知ユニット１をコイル保持台３に組み付ける際には、初期位置Ａの状態で温度検知素子保持台６下部に形成された回転軸８をコイル保持台３に形成された取付穴９に挿入し、温度検知素子保持台６を所定の角度で所定の向きに回転させ取付位置Ｂにする。このとき、略長方形状の温度検知素子保持台６の角のうち、初期位置Ａに温度検知素子保持台６と加熱コイル２との距離が近い角６ａを少なくとも１箇所落とすことによって、初期位置Ａから取付位置Ｂに回転させた時に温度検知素子保持台６の角が加熱コイル２に干渉することなく、温度検知素子保持台６の面積を確保しながら、温度検知ユニット１を加熱コイル２に近付けることができるため、温度検知ユニットの取付方式として信頼性の高い回転取付方式でありかつコイル設計の自由度の高い誘導加熱調理器の製造方法を提供することができる。
【００３０】
また、図６に示すように温度検知素子保持台６を略平行四辺形状にすることで、内側コイル２ａと外側コイル２ｂの両方を温度検知素子保持台６に接近させることができるため、コイル設計における内側コイル２ａと外側コイル２ｂ間の距離をさらに狭くすることができるため、コイル設計の自由度が高まり、所望の特性をもつ加熱コイルの設計が容易になる。
【００３１】
また、温度検知素子保持台６の鋭角部分の角度は、温度検知ユニット１を取り付ける際に回転させる角度と略同一であることが望ましく、鋭角部分が回転角度より大きいと、回転させた際に加熱コイル２と干渉してしまう。また、鋭角部分が回転角度よりも小さいとリード５の曲げ部分の角度がきつくなり、温度検知素子４およびリード５を温度検知素子保持台６の溝７に埋設させることが困難になる。
【００３２】
また、温度検知ユニット１を取り付ける際の回転角度は５０度〜７０度程度が望ましく、これより小さいと前述のようにリード５の曲げ部分の角度がきつくなり、温度検知ユニットの組み立てが困難になる。さらに、係止片収納部１６が取付穴９と重なり、係止片収納部が形成できず、温度検知素子保持台６がコイル保持台３に取り付けできない。逆にこれより大きいと、初期位置Ａと取付位置Ｂの差異が無くなるため、コイル間の距離を狭くする効果が達成されない。
【００３３】
なお、弾性体１１をコイルばねにすることにより、温度検知ユニット１を安価で構成で
きかつ確実に温度検知ユニット１を天板１２に当接させることができる。
【００３４】
なお、図７に示すようにコイル保持台３に円弧状の絶縁壁１３を形成してもよく、内側コイル２ａの外側または外側コイル２ｂの内側またはその両方に介在させ、絶縁壁１３の上端が取付位置Ｂにおいて温度検知素子保持台６よりも突出するように絶縁壁の高さを設けることによって、温度検知ユニット１が傾いた場合にでも、リード５が加熱コイル２に接触し制御基板が高電圧により破壊されることが無くなるため、信頼性の高い誘導加熱調理器の製造方法を提供することができる。
【００３５】
なお、図８に示すように温度検知素子保持台下面にリード保護部１５を形成してもよく、温度検知素子保持台６に形成された溝７をリード保護部１５下端まで延長し、リード５を埋設させることで、温度検知ユニット１が傾いた場合においても、絶縁壁１３を形成した場合と同様、リード５が加熱コイル２に接触し制御基板が高電圧により破壊されることが無くなるため、信頼性の高い誘導加熱調理器の製造方法を提供することができる。
【産業上の利用可能性】
【００３６】
以上のように、本発明にかかる誘導加熱調理器の製造方法は、内側コイルと外側コイルの間隔を狭くすることができるため、設計の自由度が高くなるので、家庭用あるいは業務用の誘導加熱調理器に適用できる。
【符号の説明】
【００３７】
Ａ  初期位置
Ｂ  取付位置
１  温度検知ユニット
２ａ  内側コイル
２ｂ  外側コイル
２  加熱コイル
３  コイル保持台
４  温度検知素子
５  リード
６ａ  角
６  温度検知素子保持台
７  溝
８  回転軸
９  取付穴
１０  係止片
１１  弾性体
１２  天板
１３  絶縁壁
１４  コネクタ貫通穴
１５  リード保護部
１６  係止片収納部
【図１】
0005891352.tif 000002
【図２】
0005891352.tif 000003
【図３】
0005891352.tif 000004
【図４】
0005891352.tif 000005
【図５】
0005891352.tif 000006
【図６】
0005891352.tif 000007
【図７】
0005891352.tif 000008
【図８】
0005891352.tif 000009
【図９】
0005891352.tif 000010
【図１０】
0005891352.tif 000011
【図１１】
0005891352.tif 000012